(57)【要約】【課題】  手書入力時における使い勝手の向上を図る。【解決手段】  手書入力が可能な入力部５７に対して情報入力を行う入力ペン９２において、略平板状に形成され手書入力時に把持される把持部９３と、該把持部に連続して設けられたペン先部９４とを設け、把持部をペン先部の軸方向に延びる軸線Ｍを含む略平板状に形成した。【選択図】図４６
2007072555.tif 000002
【特許請求の範囲】
【請求項１】
手書入力が可能な入力部に対して情報入力を行うための入力ペンであって、
略平板状に形成され手書入力時に把持される把持部と、
該把持部に連続して設けられたペン先部とを備え、
上記把持部をペン先部の軸方向に延びる軸線を含む略平板状に形成した
ことを特徴とする入力ペン。
【請求項２】
上記把持部のペン先部を延長した部分が、把持部の一端部となるようにペン先部と把持部が連続されて成る
ことを特徴とする請求項１に記載の入力ペン。
【請求項３】
上記把持部の上記軸線に直交する方向における最大幅を、把持部の上記軸線方向における最大幅より大きくした
ことを特徴とする請求項１に記載の入力ペン。
【請求項４】
上記把持部の外周部を除く部分を該外周部に対して凹んだ凹状部として形成した
ことを特徴とする請求項１に記載の入力ペン。
【請求項５】
上記把持部にストラップを保持する保持用切欠を形成し、
該保持用切欠を把持部の外周面に開口する挿入部と該挿入部に連続し挿入部の開口幅より大きな幅を有する保持部とによって構成し、
挿入部の開口縁に保持部から遠去かるに従って幅が広くなる案内部を形成し、
挿入部における案内部以外の部分の幅を略同じに形成した
ことを特徴とする請求項１に記載の入力ペン。
【発明の詳細な説明】
【技術分野】
【０００１】
本発明は入力ペンについての技術分野に関する。詳しくは、略平板状の把持部を設けて手書入力時における使い勝手の向上を図る技術分野に関する。
【背景技術】
【０００２】
近年、各種の情報を手書入力装置の入力部に対して入力ペンを用いて入力することが行われている。手書入力装置としては、パーソナルコンピュータやＰＤＡ（Personal Digital Assistance）の他、各種の電子機器、例えば、ビデオカメラ等の撮像装置があり、このような装置には、一般に、不使用時に入力ペンを収納するペン収納部が形成され、入力ペンはペン先側の部分を除いて略丸軸状に形成されている（例えば、特許文献１参照）。
【０００３】
【特許文献１】特開２００３−２３４９３４号公報
【発明の開示】
【発明が解決しようとする課題】
【０００４】
ところが、上記した従来の入力ペンにあっては、使用者が指で把持する部分が丸軸状であるため、指との接触面積が比較的小さく、把持するための比較的大きな力が必要となり、把持状態が不安定である場合も少なくなく、手書入力時に支障を来たす場合があった。
【０００５】
そこで、本発明入力ペンは、上記した問題点を克服し、手書入力時における使い勝手の向上を図ることを課題とする。
【課題を解決するための手段】
【０００６】
本発明入力ペンは、上記した課題を解決するために、略平板状に形成され手書入力時に把持される把持部と、該把持部に連続して設けられたペン先部とを設け、上記把持部をペン先部の軸方向に延びる軸線を含む略平板状に形成したものである。
【０００７】
従って、本発明入力ペンにあっては、把持したときの指との接触面積が大きくなる。
【発明の効果】
【０００８】
本発明入力ペンは、手書入力が可能な入力部に対して情報入力を行うための入力ペンであって、略平板状に形成され手書入力時に把持される把持部と、該把持部に連続して設けられたペン先部とを備え、上記把持部をペン先部の軸方向に延びる軸線を含む略平板状に形成したことを特徴とする。
【０００９】
従って、把持したときの指との接触面積が大きく、指の入力ペンに対する保持力が大きく、手書入力時における使い勝手の向上を図ることができる。
【００１０】
請求項２に記載した発明にあっては、上記把持部のペン先部を延長した部分が、把持部の一端部となるようにペン先部と把持部が連続されて成るので、入力ペンを用いて手書入力を行ったときに該入力ペンや指の影が入力部に写し出されるという所謂手暗がりの状態となることがなく、手書入力を正確かつ容易に行うことができる。
【００１１】
請求項３に記載した発明にあっては、上記把持部の上記軸線に直交する方向における最大幅を、把持部の上記軸線方向における最大幅より大きくしたので、把持部を保持し易いという利点がある。
【００１２】
請求項４に記載した発明にあっては、上記把持部の外周部を除く部分を該外周部に対して凹んだ凹状部として形成したので、指が凹状部上で滑った場合でも、外周部が把持した指の所謂引っ掛かり部として機能し、入力ペンの指からの脱落を防止することができる。
【００１３】
請求項５に記載した発明にあっては、上記把持部にストラップを保持する保持用切欠を形成し、該保持用切欠を把持部の外周面に開口する挿入部と該挿入部に連続し挿入部の開口幅より大きな幅を有する保持部とによって構成し、挿入部の開口縁に保持部から遠去かるに従って幅が広くなる案内部を形成し、挿入部における案内部以外の部分の幅を略同じに形成したので、ストラップの挿入部に対する良好な挿入性を確保することができると共にストラップが保持部に挿入された状態における入力ペンのストラップからの脱落を防止することができる。
【発明を実施するための最良の形態】
【００１４】
以下に、本発明を実施するための最良の形態を添付図面に従って説明する。
【００１５】
以下に示した最良の形態は、本発明をスチルカメラに付属される入力ペンに適用したものである。
【００１６】
尚、本発明の適用範囲はスチルカメラに付属される入力ペンに限られることはなく、例えば、ビデオカメラ、テレビジョン受像器、携帯電話、パーソナルコンピューター、ＰＤＡ（Personal Digital Assistant）、ネットワーク端末、携帯情報端末、ワークステーション、音響機器等の各種の電子機器に付属される入力ペンに広く適用することができる。
【００１７】
以下の説明にあっては、スチルカメラの撮影時において撮影者から見た方向で前後上下左右の方向を示すものとする。従って、例えば、被写体側が前方となり、撮影者側が後方となる。
【００１８】
尚、以下に示す前後上下左右の方向は説明の便宜上のものであり、本発明の実施に関しては、これらの方向に限定されることはない。
【００１９】
電子機器１は外筐２内に所要の各部が配置されて成り、該外筐２は、例えば、横長の扁平な形状に形成されている（図１及び図２参照）。外筐２はミドルフレーム３と該ミドルフレーム３の前面に結合されるフロントパネル４とミドルフレーム３の後面に結合されるリアパネル５の３つの部品によって構成されている。
【００２０】
ミドルフレーム３は樹脂材料によって各部が一体に形成されて成り、図３及び図４に示すように、横長の枠状に形成されたフレーム部６を有している。フレーム部６は上側面部７、下側面部８、左側面部９及び右側面部１０から成る。
【００２１】
上側面部７には釦配置孔７ａとマイク用孔７ｂが形成されている。上側面部７には釦配置孔７ａの近傍の位置に、上方に開口された浅い部材配置凹部１１が形成されている。部材配置凹部１１には操作ピン配置孔１１ａが形成されている。
【００２２】
フレーム部６には部材配置凹部１１に連続した位置に部材配置孔１２が形成され、該部材配置孔１２は上側面部７と右側面部１０との連続した部分に位置されている。フレーム部６には部材配置孔１２の前後両側の位置に、それぞれ前後に貫通されたピン挿通孔６ａ、６ａが形成されている。
【００２３】
下側面部８には左右方向における略中央部に三脚用孔８ａが形成されている。
【００２４】
左側面部９にはスピーカー用孔９ａが形成されている。
【００２５】
右側面部１０には内部に連通する縦長の開口１０ａが形成されている。右側面部１０の下端部には開口１０ａの近傍の位置に配置孔１０ｂが形成されている。
【００２６】
右側面部１０にはバッテリー蓋１３が開閉自在に支持されている（図１及び図５参照）。バッテリー蓋１３は縦長の形状に形成され、上端部を支点としてミドルフレーム３に対して回動可能とされている。バッテリー蓋１３の回動動作により開口１０ａ及び配置孔１０ｂが開閉される。
【００２７】
ミドルフレーム３の左右方向における中央部には上下に延びる補強部１４が一体に設けられている（図３及び図４参照）。補強部１４は上側面部７の左右方向における略中央部と下側面部８の左右方向における略中央部とを連結し、上下方向における中央部が押さえリブ１４ａとして形成されている。
【００２８】
このようにミドルフレーム３には上側面部７と下側面部８を連結する補強部１４が設けられているため、ミドルフレーム３の強度が高く、外筐２の剛性を高くすることができる。
【００２９】
また、補強部１４がミドルフレーム３に一体に設けられているため、ミドルフレーム３の高い強度を確保することができると共に部品点数の削減を図ることができる。
【００３０】
ミドルフレーム３には左右方向に延びる規制壁部１５が設けられている。規制壁部１５は両端がそれぞれ補強部１４の上端寄りの部分と右側面部１０の上端寄りの部分とに連続されている。
【００３１】
ミドルフレーム３には左右方向に延びる保持壁部１６が設けられている。保持壁部１６は両端がそれぞれ補強部１４の下端部と右側面部１０の下端部とに連続されている。
【００３２】
ミドルフレーム３のうち、右側面部１０、規制壁部１５、補強部１４及び保持壁部１６によって後述するバッテリーが装着されるバッテリー装着部１７が構成され、該バッテリー装着部１７の内部空間はバッテリーが挿入される挿入空間１７ａとされる。
【００３３】
ミドルフレーム３には補強部１４の上端部と上側面部７の左右方向における略中央部とに連続する位置に前後方向を向く受け面部１８が設けられ、該受け面部１８にはユニット受け面１８ａが形成されている。受け面部１８にはストロボ固定部１８ｂが設けられている。
【００３４】
ミドルフレーム３には上側面部７の左端部と左側面部９の上半部とに連続する位置に前後方向を向く受け面部１９が設けられ、該受け面部１９にユニット受け面１９ａが形成されている。
【００３５】
ミドルフレーム３には下側面部８の左端寄りの位置から上方へ突出された前後方向を向く受け面部２０が設けられ、該受け面部２０にユニット受け面２０ａが形成されている。
【００３６】
ユニット受け面１８ａ、１９ａ、２０ａは浅い凹状に形成されている。
【００３７】
ミドルフレーム３には上側面部７の内面側にマイク配置部２１が設けられている。マイク配置部２１は前方に開口された配置凹部２１ａを有している。
【００３８】
ミドルフレーム３には左側面部９の内面側にスピーカー配置部２２が設けられている。スピーカー配置部２２は後方に開口された配置凹部２２ａを有している。
【００３９】
ミドルフレーム３の左端部には、その上下両端部にそれぞれ前後に貫通されたネジ挿通孔３ａ、３ａが形成されている。ミドルフレーム３の補強部１４の上端部には前後に貫通されたネジ挿通孔１４ｂが形成されている。
【００４０】
ミドルフレーム３の各部には、以下のような各部品が配置される（図６参照）。
【００４１】
ミドルフレーム３の受け面部１８、１９、２０にはレンズユニット２３が配置される。レンズユニット２３は、例えば、扁平なレンズホルダー２４にフォーカスレンズやズームレンズ等の各種のレンズやアイリス機構等が保持されて成る。レンズユニット２３はレンズホルダー２４の外周部の後面が受け面部１８、１９、２０にそれぞれ形成されたユニット受け面１８ａ、１９ａ、２０ａに位置決めされて受けられた状態で配置される。従って、ユニット受け面１８ａ、１９ａ、２０ａはレンズユニット２３の位置決め部として機能する。
【００４２】
受け面部１８のストロボ固定部１８ｂにはストロボ２５が接着等の手段により固定されて保持される。
【００４３】
マイク配置部２１には略円板状に形成されたマイクロフォン２６が配置されて保持される。マイクロフォン２６はマイク配置部２１の配置凹部２１ａに挿入されることにより保持される。
【００４４】
スピーカー配置部２２には略円板状に形成されたスピーカー２７が配置されて保持される。スピーカー２７はスピーカー配置部２２の配置凹部２２ａに挿入されることにより保持される。
【００４５】
上記したレンズユニット２３、ストロボ２５、マイクロフォン２６及びスピーカー２７は所定の機能を実行する機能性部品であり、ユニット受け面１８ａ、１９ａ、２０ａ、ストロボ固定部１８ｂ、マイク配置部２１及びスピーカー配置部２２は機能性部品を保持する部品保持部とされる。
【００４６】
電子機器１にあっては、レンズユニット２３、ストロボ２５、マイクロフォン２６及びスピーカー２７等の機能性部品を保持する部品保持部をミドルフレーム３に一体に形成しているため、各機能性部品を保持するための専用の部品を用いる必要がなく、部品点数の削減による製造コストの低減を図ることができる。
【００４７】
ミドルフレーム３の上側面部７の右端部には、その内面側に回路用板金２８が取り付けられる。回路用板金２８にはスイッチング回路が形成された図示しない回路基板が取り付けられており、該回路基板は上側面部７の内面と対向した状態で配置される。
【００４８】
上側面部７に形成された釦配置孔７ａには電源釦２９が配置される。
【００４９】
上側面部７に形成された部材配置凹部１１にはシャッターユニット３０が配置される（図７参照）。シャッターユニット３０はユニットベース３１と該ユニットベース３１に支持されたシャッター釦３２とを有している。ユニットベース３１は左右に長い直線部３３と該直線部３３の右端に連続する円弧状に形成された円弧部３４とから成り、直線部３３に上下に貫通する釦用孔３３ａが形成されている。円弧部３４には左右に延びる溝３４ａが形成され、該溝３４ａを形成する前後の壁部にそれぞれ前後に貫通するピン取付孔３４ｂ、３４ｂが形成されている。
【００５０】
ユニットベース３１の釦用孔３３ａにはシャッター釦３２が配置される。
【００５１】
シャッターユニット３０は、ユニットベース３１の直線部３３が部材配置凹部１１に挿入されて配置され、円弧部３４が部材配置凹部１１に隣接する部材配置孔１２に挿入されて配置される。
【００５２】
シャッターユニット３０が上記のように配置された状態において、ミドルフレーム３のピン挿通孔６ａ、６ａとユニットベース３１のピン取付孔３４ｂ、３４ｂに取付ピン３５が挿入される。従って、取付ピン３５によってユニットベース３１がミドルフレーム３に取り付けられる。
【００５３】
また、取付ピン３５の一部は溝３４ａ内に位置され、この取付ピン３５に後述するストラップを巻き付けて取り付けることが可能となる。
【００５４】
このように取付ピン３５は、ユニットベース３１をミドルフレーム３に取り付ける機能に加え、ストラップを巻き付けるストラップ取付部としても機能する。従って、部品点数の削減を図ることができる。
【００５５】
また、ストラップを把持した状態においては、電子機器１の荷重が取付ピン３５にかかることになるが、取付ピン３５はミドルフレーム３のピン挿通孔６ａ、６ａとユニットベース３１のピン取付孔３４ｂ、３４ｂの双方に挿通されているため取付強度が高く、大きな荷重を受けることが可能である。
【００５６】
シャッターユニット３０がミドルフレーム３に取り付けられた状態においては、シャッター釦３２から下方へ突出された操作ピン３２ａが部材配置凹部１１に形成された操作ピン配置孔１１ａから下方へ突出され、回路用板金２８に取り付けられた回路基板のスイッチを操作可能な状態とされる。
【００５７】
ミドルフレーム３の下側面部８に形成された三脚用孔８ａには三脚用雌ネジ３６が配置される（図６参照）。従って、三脚の上端部に設けられたネジ部を三脚用孔８ａに挿入し三脚用雌ネジ３６に螺合することにより、三脚に電子機器１を設置することができる。
【００５８】
フロントパネル４は、例えば、アルミニウム等の金属材料によって形成されている。このようにフロントパネル４を金属材料によって形成することにより放熱性能が向上し、電子機器１の内部温度の上昇を効率的に抑制することができる。  フロントパネル４は、図８に示すように、横長の略矩形状に形成された前面部３７と該前面部３７の外周縁から略後方へ短く突出された周縁部３８とから成る。前面部３７には、その上端部に横長の発光用孔３７ａが形成され、左半部に大きな開口３７ｂが形成されている。
【００５９】
フロントパネル４の前面部３７には開口３７ｂの開口縁を覆う位置にリングパネル３９が取り付けられる（図１及び図８参照）。
【００６０】
フロントパネル４の前面部３７の後面には、例えば、樹脂材料によって形成された押さえ部材４０が接着等によって取り付けられる。押さえ部材４０はフロントパネル４がミドルフレーム３に取り付けられた状態において、ミドルフレーム３に配置される各部品を押さえる役割を果たす。
【００６１】
リアパネル５は、例えば、アルミニウム等の金属材料によって形成されている。このようにリアパネル５を金属材料によって形成することにより放熱性能が向上し、電子機器１の内部温度の上昇を効率的に抑制することができる。
【００６２】
リアパネル５は、図８に示すように、横長の略矩形状に形成された後面部４１と該後面部４１の外周縁から略前方へ短く突出された周縁部４２とから成る。後面部４１には、矩形状に形成された大きな開口部４１ａが形成されている。
【００６３】
リアパネル５の右端部には、それぞれ所定の位置に操作釦４３、４４、４５及びスライド摘子４６が配置されている（図２参照）。これらの操作釦４３、４４、４５及びスライド摘子４６は、リアパネル５に形成された各釦配置用孔に配置されている。操作釦４３は撮影時におけるズーミングを行うためのズーム釦であり、操作釦４４、４５は、例えば、各種のモードの変更等を行うための釦であり、スライド摘子４６は撮影モードや再生モード等のモードを切り替えるための摘子である。
【００６４】
操作釦４３は上下方向における中央部を基準として上半部と下半部を各別に押圧操作可能とされ、この操作により広角撮影又は望遠撮影を行うことができる。
【００６５】
リアパネル５の後面部４１の前面には、例えば、樹脂材料によって形成されたパネルホルダー４７が接着等によって取り付けられる（図８参照）。
【００６６】
パネルホルダー４７は、図９及び図１０に示すように、横長の矩形状に形成された枠部４８と該枠部４８の右縁に連続して設けられた操作用面部４９と枠部４８の左縁に連続して設けられた突面部５０とが一体に形成されて成る。
【００６７】
枠部４８は上方部５１、下方部５２及び一対の側方部５３、５３から成り、例えば、上方部５１及び下方部５２に他の部分より前方へ突出された段差部５４、５４が設けられている（図９乃至図１１参照）。段差部５４、５４は左右に長い延設部５４ａ、５４ａと該延設部５４ａ、５４ａの左右両端部からそれぞれ下方又は上方へ突出された突部５４ｂ、５４ｂ、・・・とから成る。
【００６８】
枠部４８は段差部５４、５４が設けられていない部分が該段差部５４、５４より後方に位置された第１のパネル位置決め部５５として設けられ、側方部５３、５３の前面と段差部５４、５４とによって第２のパネル位置決め部５６が構成される。
【００６９】
パネルホルダー４７の操作用面部４９には、図９及び図１０に示すように、その上方側に上下に並んで２つの操作孔４９ａ、４９ａが形成され、該操作孔４９ａ、４９ａ間に左右に延びる釦受部４９ｂが設けられている。この釦受部４９ｂによってズーム釦として機能する操作釦４３が背面側から押さえられ、該操作釦４３が上下方向における中央部を基準として上半部と下半部を各別に押圧操作可能とされる。
【００７０】
尚、操作用面部４９の前面側には図示しないスイッチ用回路基板が配置され、操作釦４３が押圧操作されると操作孔４９ａ、４９ａを介してスイッチ用回路基板に設けられたプッシュスイッチが操作されてズーム機能が発揮される。
【００７１】
上記のように、操作釦４３を押さえる釦受部４９ｂをパネルホルダー４７に一体に設けることにより、部品点数の削減を図ることができる。
【００７２】
操作用面部４９には、その下方側に上下に並んで２つの操作板部４９ｃ、４９ｃが設けられている。操作板部４９ｃ、４９ｃはそれぞれ操作用面部４９に上下に並んで形成された形成孔４９ｄ、４９ｄ内に位置され、それぞれ２つの弾性変形可能なアーム部４９ｅ、４９ｅ、・・・によって操作用面部４９の他の部分に連結されている。
【００７３】
操作板部４９ｃ、４９ｃの後面にはそれぞれ上記操作釦４４、４５が連結されている。操作釦４４、４５が押圧操作されると、操作板部４９ｃ、４９ｃがアーム部４９ｅ、４９ｅ、・・・の弾性変形により前方へ移動され、操作板部４９ｃ、４９ｃによって上記スイッチ用回路基板に設けられたプッシュスイッチが操作されて所定の機能が発揮される。操作釦４４、４５に対する押圧操作が解除されると、操作板部４９ｃ、４９ｃがアーム部４９ｅ、４９ｅ、・・・の弾性復帰により後方へ移動され元の位置に戻る。
【００７４】
上記のように、操作釦４４、４５の操作に応じて動作される操作板部４９ｃ、４９ｃ及びアーム部４９ｅ、４９ｅ、・・・をパネルホルダー４７に一体に設けることにより、操作釦４４、４５を操作後の元の位置に戻すためのバネ手段等を用いる必要がなく、部品点数の削減を図ることができる。
【００７５】
尚、操作釦４４、４５を操作板部４９ｃ、４９ｃに一体に形成することも可能である。操作釦４４、４５を操作板部４９ｃ、４９ｃに一体に形成することにより、一層の部品点数の削減を図ることができる。
【００７６】
パネルホルダー４７の突面部５０には前方へ突出されたスピーカー押さえ部５０ａが設けられている。ミドルフレーム３にリアパネル５が取り付けられた状態において、ミドルフレーム３のスピーカー配置部２２に配置されたスピーカー２７がスピーカー押さえ部５０ａによって押さえられ、スピーカー２７のスピーカー配置部２２からの脱落が防止される。
【００７７】
パネルホルダー４７にはタッチパネル５７と液晶パネル５８が位置決めされて保持される（図８参照）。
【００７８】
タッチパネル５７はリアパネル５に形成された開口部４１ａより一回り大きい矩形状に形成され、指やスタイラス等によって接触操作されることにより所定の機能を実行する操作部としての役割を果たす。タッチパネル５７には、一般に、操作実行のためのパターン部５７ａが存在し、該パターン部５７ａは外周寄りの位置の全周に位置されている（図１２参照）。パターン部５７ａはタッチパネル５７のうち最も強度が弱い部分である。
【００７９】
液晶パネル５８は画像や文字等を表示する表示部として機能し、タッチパネル５７と略同じ大きさに形成されている。液晶パネル５８は、図１３に示すように、液晶表示部５９と該液晶表示部５９を保持する保持枠６０とから成り、パネル取付板６１に取り付けられている。
【００８０】
保持枠６０は４隅の部分が他の部分より外方に突出されて鈎状に形成された位置決め突部６０ａ、６０ａ、・・・として設けられている。
【００８１】
パネル取付板６１は保持枠６０の外周部のうち、位置決め突部６０ａ、６０ａ、・・・を除いた部分を覆うようにして設けられている。
【００８２】
液晶パネル５８とタッチパネル５７は接着等によって前後で結合されて一体化され、タッチパネル５７のパターン部５７ａは液晶表示部５９の外側、即ち、保持枠６０の内周部に対応して位置される。
【００８３】
タッチパネル５７及び液晶パネル５８は結合された状態で、リアパネル５に取り付けられたパネルホルダー４７に位置決めされて保持される（図１４参照）。タッチパネル５７及び液晶パネル５８は、リアパネル５の開口部４１ａの内側開口縁にシートクッション６２、６２、・・・（図１１参照）が貼着された状態でパネルホルダー４７の第１のパネル位置決め部５５に内嵌されることにより位置決めされて保持される。
【００８４】
このときタッチパネル５７及び液晶パネル５８は、該液晶パネル５８の位置決め突部６０ａ、６０ａ、・・・が第１のパネル位置決め部５５の４つの角部に嵌合されるため確実に位置決めされ、タッチパネル５７及び液晶パネル５８のリアパネル５に対する位置精度の向上を図ることができる。
【００８５】
パネルホルダー４７にはタッチパネル５７と液晶パネル５８に加え、バックライトパネル６３も位置決めされて保持される（図８参照）。
【００８６】
バックライトパネル６３は液晶パネル５８より一回り大きい平板状に形成され、例えば、４隅の位置に位置決め用切欠６３ａ、６３ａ、・・・が形成されている。
【００８７】
バックライトパネル６３はリアパネル５に取り付けられたパネルホルダー４７に位置決めされて保持される（図１５参照）。バックライトパネル６３は位置決め用切欠６３ａ、６３ａ、・・・がそれぞれ段差部５４、５４の突部５４ｂ、５４ｂに係合され、パネルホルダー４７の第２のパネル位置決め部５６に位置決めされて保持される。
【００８８】
バックライトパネル６３は押さえ板６４によって前方側から押さえられる。押さえ板６４は、図１６に示すように、横長の矩形状に形成された押さえ部６５と該押さえ部６５の左右両側縁にそれぞれ連続して設けられた被取付部６６、６６、６７とを有している。被取付部６６、６６、６７は押さえ部６５に対して稍後方に位置されている。押さえ板６４には、その左端部に上下に離隔してネジ挿通孔６４ａ、６４ａが形成されている。押さえ板６４には、その左右方向における略中央部の上端部に前方側へ折り返された折返し片６４ｂが設けられ、該折返し片６４ｂに螺孔６４ｃが形成されている。
【００８９】
押さえ板６４は、ミドルフレーム３の補強部１４に形成されたネジ挿通孔１４ｂを挿通された図示しない取付ネジが螺孔６４ｃに螺合されることによりミドルフレーム３に取り付けられる。また、押さえ板６４は、ミドルフレーム３のネジ挿通孔３ａ、３ａをそれぞれ挿通された図示しない取付ネジがネジ挿通孔６４ａ、６４ａに挿通されリアパネル５の図示しない螺合部に螺合されることにより該リアパネル５に取り付けられる。
【００９０】
押さえ板６４がリアパネル５に取り付けられた状態において、押さえ部６５がバックライトパネル６３の前面に押し付けられ、該バックライトパネル６３が押さえ部６５によって押さえられる。バックライトパネル６３が押さえ部６５によって押さえられると、バックライトパネル６３が液晶パネル５８に押し付けられ、該液晶パネル５８及びタッチパネル５７が押さえられる。
【００９１】
上記のようにタッチパネル５７、液晶パネル５８及びバックライトパネル６３が押さえられた状態において、図１７に示すように、タッチパネル５７とリアパネル５の内周部との間に隙間が形成されている。
【００９２】
従って、電子機器１の使用時に撮影者が電子機器１を把持した状態において、指１００によってリアパネル５の開口部４１ａに近い部分が押圧されたときに、リアパネル５がタッチパネル５７に接触することがなく、該タッチパネル５７の動作不良や割れ等の不具合の発生を防止することができる。
【００９３】
特に、タッチパネル５７のうち最も強度が弱い部分であるパターン部５７ａとリアパネル５との間に隙間が形成されるため、パターン部５７ａとリアパネル５との接触を回避することができ、タッチパネル５７の動作の信頼性を確保することができる。
【００９４】
また、上記したように、タッチパネル５７、液晶パネル５８及びバックライトパネル６３は同一の部材であるパネルホルダー４７に位置決めされているため、タッチパネル５７、液晶パネル５８及びバックライトパネル６３のリアパネル５に対する良好な位置精度を確保することができると共にタッチパネル５７、液晶パネル５８及びバックライトパネル６３の３つの部品間の良好な位置精度を確保することができる。
【００９５】
尚、上記には、タッチパネル５７とリアパネル５の後面部４１との間にシートクッション６２、６２、・・・を介在させた例を示したが、例えば、図１８に示すように、パネルホルダー４７の後端部における一部を内方へ突出させて受部４７ａ、４７ａ、・・・を一体に設け、該受部４７ａ、４７ａ、・・・によってタッチパネル５７を受けることによりタッチパネル５７とリアパネル５との間に隙間を形成することも可能である。
【００９６】
このようにパネルホルダー４７に受部４７ａ、４７ａ、・・・を一体に設けることにより、シートクッション６２、６２、・・・が不要となり、部品点数の削減及びシートクッション６２、６２、・・・をリアパネル５に貼着する作業の手間を省くことができる。
【００９７】
以上に記載した通り、電子機器１にあっては、ミドルフレーム３と該ミドルフレーム３の前後に結合されるフロントパネル４、リアパネル５の３部品によって外筐２が構成されている。
【００９８】
従って、部品点数が少なく、各部品をネジ止めや加締め等によって結合する作業も少なくて済み、作業性の向上を図ることができる。
【００９９】
また、フロントパネル４とリアパネル５の間に配置されるミドルフレーム３は各部が一体に形成されているため、その分、外筐２の高い強度を確保することができる。
【０１００】
尚、電子機器１のようにタッチパネル５７を有する機器においては、タッチパネル５７、液晶パネル５８及びバックライトパネル６３にタッチパネル５７に対する接触操作に伴う負荷がかかり易いが、電子機器１にはバックライトパネル６３を押さえる押さえ板６４と該押さえ板６４を押さえる押さえリブ１４ａを設けているため、タッチパネル５７、液晶パネル５８及びバックライトパネル６３の撓みや割れを確実に防止することができる。
【０１０１】
また、押さえ板６４と押さえリブ１４ａによってタッチパネル５７、液晶パネル５８及びバックライトパネル６３が押さえられるため、タッチパネル５７及び液晶パネル５８の撓みを抑制することが可能となり、タッチパネル５７及び液晶パネル５８の大型化による使い勝手の向上を図ることができる。
【０１０２】
上記のように、バックライトパネル６３が押さえ板６４に前方から押さえられた状態において、ミドルフレーム３とリアパネル５がネジ止め等の適宜の手段により結合され、ミドルフレーム３とフロントパネル４もネジ止め等の適宜の手段により結合される。
【０１０３】
ミドルフレーム３とリアパネル５が結合されると、ミドルフレーム３の押さえリブ１４ａが押さえ板６４の押さえ部６５の前面に押し付けられ、押さえリブ１４ａによって押さえ板６４が押さえられる（図１９参照）。
【０１０４】
この押さえリブ１４ａはミドルフレーム３に一体に形成されているため、押さえ板６４を押さえる専用の部品を他に必要とせず、部品点数の削減を図ることができる。
【０１０５】
また、ミドルフレーム３とリアパネル５を結合させたときに、同時に押さえリブ１４ａによって押さえ板６４が押さえられるため、押さえリブ１４ａによって押さえ板６４を押さえるための作業を特別に必要とせず、作業性の向上を図ることができる。
【０１０６】
以下に、外筐２内に設けられた上記バッテリー装着部１７及び該バッテリー装着部１７に装着されるバッテリー２００について説明する（図２０乃至図３６参照）。
【０１０７】
バッテリー装着部１７は、上記したように、ミドルフレーム３の右側面部１０、規制壁部１５、補強部１４及び保持壁部１６によって構成され、バッテリー装着部１７の内部空間はバッテリー２００が挿入される挿入空間１７ａとされている（図２０参照）。
【０１０８】
このようにバッテリー装着部１７はミドルフレーム３に一体に形成された右側面部１０、規制壁部１５、補強部１４及び保持壁部１６によって設けられているため、部品点数が少なくて済み、電子機器１の製造コストの低減を図ることができる。
【０１０９】
バッテリー２００は略蒲鉾状に形成されている（図２１参照）。バッテリー２００は、挿入空間１７ａに対する挿入方向及び取出方向における各端面２０１、２０１の外周縁２０２、２０２が６つの部分によって構成されている。即ち、外周縁２０２は同じ長さを有する第１の直線部２０２ａ、２０２ａと該第１の直線部２０２ａ、２０２ａに直交する第２の直線部２０２ｂ、第３の直線部２０２ｃと中心角が略９０°の略円弧状を為す２つの曲線状部２０２ｄ、２０２ｄとから成る。
【０１１０】
バッテリー２００の挿入方向における端面２０１には３つの接続端子２０３、２０３、２０３が設けられている。接続端子２０３、２０３、２０３は第３の直線部２０２ｃの近傍において該第３の直線部２０２ｃに沿うように位置されている。
【０１１１】
第３の直線部２０２ｃは第２の直線部２０２ｂより短く形成され、第１の直線部２０２ａ、２０２ａの各一端と第３の直線部２０２ｃの両端とがそれぞれ曲線状部２０２ｄ、２０２ｄに連続されている。
【０１１２】
バッテリー装着部１７の挿入空間１７ａはバッテリー２００に対応する形状に形成され、挿入空間１７ａの開口縁にはバッテリー２００の曲線状部２０２ｄ、２０２ｄにそれぞれ対応する円弧状に形成された円弧状縁１７ｂ、１７ｂが形成されている（図２２参照）。
【０１１３】
保持壁部１６の右端寄りの位置には挿入空間１７ａに連通する挿通孔１６ａが形成されている（図２２参照）。保持壁部１６の前面における右端寄りの位置には、左右に離隔して軸受け部１６ｂ、１６ｂが設けられている（図２３参照）。
【０１１４】
保持壁部１６の前面には支持部材６８が取り付けられる（図２３参照）。
【０１１５】
支持部材６８は左右に長い中間部６９と該中間部６９の左右にそれぞれ連続して設けられた被取付部７０、７１とを有している。被取付部７０、７１にはそれぞれネジ挿通孔７０ａ、７１ａが形成されている。被取付部７０には上方へ突出されたバネ支持片７０ｂが設けられている。
【０１１６】
支持部材６８は被取付部７０、７１のネジ挿通孔７０ａ、７１ａをそれぞれ挿通された取付ネジ７２、７２が保持壁部１６に螺合されることにより該保持壁部１６に取り付けられる。
【０１１７】
保持壁部１６の軸受け部１６ｂ、１６ｂにはロック手段として機能するロック部材７３が回動自在に支持される。ロック部材７３は、図２４に示すように、左右方向に長い支軸部７４と該支軸部７４の右端部に設けられたロック部７５と支軸部７４の右端寄りの位置から突出されたバネ掛け突部７５とが一体に形成されて成る。
【０１１８】
ロック部７５は支軸部７４の軸方向に直交する方向へ該支軸部７４から突出され、略直角三角形状に形成されている（図２５参照）。ロック部７５は外周縁が互いに略直交する２つの直線部７５ａ、７５ｂと一つの曲線部７５ｃとを有し、該曲線部７５ｃは、バッテリー２００が挿入される挿入空間１７ａの円弧状縁１７ｂに対応する緩やかな円弧状に形成されている。ロック部７５は略直角でない一方の角部が支軸部７４に連続され、略直角でない他方の角部が先端部７５ｄとして設けられている。ロック部７５の表面は、先端部７５ｄ側の部分が傾斜面部７５ｅとして形成され、ロック部７５は傾斜面部７５ｅによって先端部７５ｄの先端に近付くに従って厚みが薄くなるようにされている。
【０１１９】
ロック部材７３の支軸部７４にはバネ部材７７が支持される（図２３及び図２４参照）。バネ部材７７は、例えば、捩じりコイルバネであり、コイル部７８と該コイル部７８の両端から突出された第１の腕部７９、第２の腕部８０とから成る。
【０１２０】
第１の腕部７９は所定の形状に屈曲されて形成され、コイル部７８に連続し該コイル部７８の先端部に対して略９０°屈曲されて形成された弾接部７９ａと該弾接部７９ａに対して略９０°屈曲されて形成された側圧付与部７９ｂとから成り、該側圧付与部７９ｂは先端側の部分が略円弧状に屈曲された押圧部７９ｃとされている。側圧付与部７９ｂはバッテリー２００がバッテリー装着部１７に装着されたときに、バッテリー２００に側圧を付与する与圧手段としての役割を果たす。
【０１２１】
バネ部材７７のコイル部７８にはロック部材７３の支軸部７４が挿入され、バネ部材７７がロック部材７３に支持される。
【０１２２】
ロック部材７３は支軸部７４が保持壁部１６に形成された軸受部１６ｂ、１６ｂに挿入されミドルフレーム３に回動自在に支持される（図２０参照）。ロック部材７３がミドルフレーム３に支持された状態において、支軸部７４とバネ掛け突部７６が上下に位置され、、ロック部７５がミドルフレーム３の右側面部１０に形成された開口１０ａから外方へ突出される（図２２参照）。
【０１２３】
ロック部材７３がミドルフレーム３に支持された状態において、ロック部材７３に支持されたバネ部材７７は保持壁部１６の軸受部１６ｂ、１６ｂ間に位置され（図２６及び図２７参照）、図２０及び図２４に示すように、第１の腕部７９の弾接部７９ａがロック部材７３のバネ掛け突部７６に前方から弾接され、第２の腕部８０の先端部が保持壁部１６に取り付けられた支持部材６８のバネ支持片７０ｂに後方から弾接される。従って、ロック部材７３はバネ部材７７によって支軸部７４を支点としてバネ掛け突部７６が略前方へ移動される回動方向へ付勢され、バネ掛け突部７６が保持壁部１６に接することによりロック部材７３の回動が規制される。このとき、ロック部７５は先端部７５ｄが円弧状縁１７ｂから挿入空間１７ａ側へ突出した状態とされる（図２２参照）。また、バネ部材７７の側圧付与部７９ｂは、押圧部７９ｃがミドルフレーム３の挿通孔１６ａから挿入空間１７ａに突出される（図２２参照）。
【０１２４】
ミドルフレーム３の補強部１４の押さえリブ１４ａにはバッテリー用回路基板８１が取り付けられる（図２０参照）。バッテリー用回路基板８１には端子部８２、８２、８２が搭載されている。端子部８２、８２、８２は上下方向に並んだ状態で位置されている。
【０１２５】
以下に、バッテリー２００の挿入空間１７ａに対する挿脱時における各部の動作について説明する（図２８乃至図３１参照）。
【０１２６】
バッテリー２００が挿入空間１７ａに挿入される前の状態においては、ロック部材７３はロック部７５の先端部７５ｄが円弧状縁１７ｂから挿入空間１７ａ側へ突出した状態とされている（図２８参照）。このときバネ部材７７は、側圧付与部７９ｂの押圧部７９ｃがミドルフレーム３の挿通孔１６ａから挿入空間１７ａに突出されている。
【０１２７】
挿入空間１７ａにバッテリー２００を挿入しようとするときには、先ず、バッテリー蓋１３を開放し、ロック部材７３をバネ部材７７による付勢力に抗してＲ１方向（図２８参照）へ回動させて挿入空間１７ａの全体を開放する。ロック部材７３のＲ１方向への回動は、例えば、ロック部材７３のロック部７５を把持して手動により行う。
【０１２８】
また、ロック部材７３のＲ１方向への回動は、バッテリー２００をロック部７５の傾斜面部７５ｅに上方又は斜め上方から押し当てて行うことも可能である（図２９参照）。具体的には、バッテリー２００を傾斜面部７５ｅに上方又は斜め上方から押し当てていくと、バッテリー２００が傾斜面部７５ｅと摺接されロック部７５がＲ１方向へ回動されていく。
【０１２９】
このようにロック部材７３のロック部７５には傾斜面部７５ｅが形成されているため、バッテリー２００を傾斜面部７５ｅに上方又は斜め上方から押し当てていくことによりロック部７５がＲ１方向へ回動可能とされ、バッテリー２００の挿入空間１７ａへの挿入を容易に行うことができる。
【０１３０】
ロック部材７３がＲ１方向へ回動されると、バネ掛け突部７６に弾接されているバネ部材７７の第１の腕部７９が略前方へ移動されていく。従って、バネ部材７７の押圧部７９ｃが挿通孔１６ａ内に引き込まれる（図３０参照）。
【０１３１】
挿入空間１７ａとバッテリー２００との間には挿入空間１７ａに対するバッテリー２００の良好な挿脱性を確保するための隙間が存在するため、挿入空間１７ａにバッテリー２００を挿入すると、バッテリー２００が挿入空間１７ａに対して隙間分傾斜する場合がある（図３１参照）。バッテリー２００が挿入空間１７ａに対して傾斜した場合には、バッテリー２００の接続端子２０３、２０３、２０３と端子部８２、８２、８２との接続不良が生じるおそれがある。
【０１３２】
しかしながら、挿入空間１７ａにバッテリー２００が挿入されると、ロック部材７３がバネ部材７７の付勢力によってＲ２方向（図３０参照）へ回動され、この回動動作に伴って第１の腕部７９が略後方へ移動され押圧部７９ｃが挿通孔１６ａから挿入空間１７ａに突出される（図３２参照）。
【０１３３】
ロック部材７３のＲ２方向への回動によりロック部７５の一部がバッテリー２００の一方の端面２０１に接し、バッテリー２００がバッテリー装着部１７に装着された状態がロックされる（図３２及び図３３参照）。また、押圧部７９ｃが挿通孔１６ａから挿入空間１７ａに突出されると、バッテリー２００が押圧部７９ｃによって押圧され、規制壁部１５に押し付けられて傾斜状態が是正される（図３２及び図３３参照）。従って、バッテリー２００の接続端子２０３、２０３、２０３と端子部８２、８２、８２とが良好な状態で接続される。
【０１３４】
最後に、バッテリー蓋１３を閉塞することによりバッテリー２００の挿入を完了する。
【０１３５】
逆に、バッテリー２００のバッテリー装着部１７からの取出は、先ず、バッテリー蓋１３を開放し、次に、ロック部材７３を回動させてバッテリー２００に対するロックを解除し、最後に、バッテリー２００を挿入空間１７ａから引き抜くことにより行う。
【０１３６】
以上に記載した通り、電子機器１にあっては、バッテリー２００に側圧を付与する与圧手段として機能するバネ部材７７の側圧付与部７９ｂとロック手段として機能するロック部材７３が連動され、該ロック部材７３によってバッテリー２００がロックされたときに側圧付与部７９ｂによってバッテリー２００に側圧が付与されると共にロック部材７３によるバッテリー２００のロックが解除されたときに側圧付与部７９ｂによるバッテリー２００への側圧の付与が解除される。
【０１３７】
従って、バッテリー２００がバッテリー装着部１７に装着されロックされた状態においては側圧付与部７９ｂによってバッテリー２００が規制壁部１５に押し付けられるため、接続端子２０３、２０３、２０３と端子部８２、８２、８２との良好な接続状態を確保することができ、また、バッテリー２００のロックが解除された状態において側圧付与部７９ｂによる側圧の付与が解除されるため、バッテリー２００の挿入空間１７ａに対する挿入及び取出を円滑に行うことができる。
【０１３８】
尚、バッテリー２００に対する側圧をロック部材７３で付与せずバネ部材７７の押圧部７９ｃによって付与するため、ロック手段と与圧手段をそれぞれの機能に応じた最適形状に形成することが可能となり、設計の自由度の向上及び効率的な部品の配置が可能となる。
【０１３９】
また、上記には、例として、ロック部材７３にバネ部材７７が支持されることによりロック手段と与圧手段を連結する構成を示したが、例えば、適宜のリンク手段を用いてロック手段と与圧手段を連結することも可能である。
【０１４０】
また、ロック部材７３は支軸部７４を支点として回動され、側圧付与部７９ｂもロック部材７３の回動動作に伴ってこの回動方向と同じ方向へ動作されるため、動作の信頼性を確保することができ、また、ロック部材７３及び側圧付与部７９ｂの動作スペースが小さくて済み、電子機器１の小型化を図ることができる。
【０１４１】
さらに、与圧手段として機能する側圧付与部７９ｂはバネ部材７７の一部であるため、バッテリー２００が規制壁部１５に押し付けられたときの各部材間の寸法公差が吸収され、バッテリー２００を適切な力量で規制壁部１５に押し付けることができる。
【０１４２】
加えて、ロック部材７３のロック部７５に曲線部７５ｃを形成しロック部７５を支軸部７４から遠去かるに従って幅広となる形状に形成し、ロック部７５がバッテリー２００の挿入方向における一方の端面２０１に接することによりバッテリー２００がバッテリー装着部１７にロックされるようにしているため、ロック部７５の端面２０１に対する接触面積が大きく、バッテリー２００のロック状態の安定化を図ることができる。
【０１４３】
尚、上記には、回動してバッテリー２００のロックを行うロック部材７３を例として示したが、ロック部材７３に代えて、例えば、以下のように弾性変形することによりロックを行うロック部材７３Ａを用いることも可能である（図３４乃至図３６参照）。
【０１４４】
ロック部材７３Ａは樹脂材料等の弾性変形量のおおきな材料によって形成され、図３４に示すように、左右方向に長い基部８３と該基部８３の長手方向における一端部から直交する方向へ突出されたロック部８４と基部８３の長手方向における中間部から直交する方向へ突出された側圧付与部８５とから成る。
【０１４５】
ロック部材７３Ａは基部８３の他端部が保持壁部１６に取り付けられ、ロック部８４が右側面部１０の配置孔１０ｂから突出されて一部が挿入空間１７ａの側方に位置され、側圧付与部８５の先端部が保持壁部１６の挿通孔１６ａから挿入空間１７ａに突出されている。
【０１４６】
バッテリー２００を挿入空間１７ａに挿入するときには、ロック部材７３Ａを撓ませて挿入空間１７ａの全体を開放する（図３５参照）。ロック部材７３Ａを撓ませることにより側圧付与部８５が挿通孔１６ａ内に引き込まれる。従って、バッテリー２００を挿入空間１７ａに円滑に挿入することができる。
【０１４７】
バッテリー２００が挿入空間１７ａに挿入された状態において、ロック部材７３Ａを元の状態に戻すと、ロック部８４によってバッテリー２００がロックされると共に側圧付与部８５によってバッテリー２００に側圧が付与されバッテリー２００が規制壁部１５に押し付けられる。バッテリー２００が規制壁部１５に押し付けられることにより、バッテリー２００が挿入空間１７ａ内において傾斜することなく、接続端子２０３、２０３、２０３と端子部８２、８２、８２とが確実に接続される。
【０１４８】
バッテリー２００の挿入空間１７ａからの取出は、再びロック部材７３Ａを撓ませて挿入空間１７ａの全体を開放すると共に側圧付与部８５によるバッテリー２００への側圧の付与を解除した状態で行う。
【０１４９】
上記のように、ロック部材７３Ａはロック部８４と側圧付与部８５が一体に形成されているため、部品点数の削減を図ることができる。
【０１５０】
次に、バッテリー装着部の別例及び該バッテリー装着部に設けられる各部について説明する（図３７乃至図４４参照）。
【０１５１】
電子機器１においては、バッテリー２００からの電力供給により各部の駆動が可能とされる他、商用電源からの電力供給によっても各部の駆動が可能とされている。
【０１５２】
電子機器１にあっては、以下に示すように、バッテリー２００からの電力供給と商用電源からの電力供給とが同時に行われることがないような機構が設けられている。
【０１５３】
バッテリーからの電力供給と商用電源からの電力供給とが同時に行われる場合には、バッテリーの省電力化に支障を来たすことになる。この場合、例えば、バッテリーが装着された状態において電源コードが商用電源に接続されたときに、バッテリーからの電力供給が行われないような回路設計を行うことも可能であるが、このような設計を行った場合には回路構成が複雑となる等の不具合が生じ、コスト高になるという問題が生じ得る。
【０１５４】
別例に係るバッテリー装着部１７Ａにはバッテリー２００が挿入される挿入空間１７ａが形成され、該挿入空間１７ａは開口１０ａを介して外部と連通されている（図３７参照）。挿入空間１７ａはミドルフレーム３の右側面部１０に開口されている。
【０１５５】
ミドルフレーム３の下側面部８には、開口１０ａに寄った位置にミドルフレーム３の内部に連通するジャック挿入口８ｂが形成されている（図３８参照）。
【０１５６】
ミドルフレーム３にはジャック挿入口８ｂが形成された部分からミドルフレーム３の内部へ向けて支持壁３ｂ、３ｂが左右に離隔して設けられている。支持壁３ｂ、３ｂの先端部にはそれぞれ内方に開口された案内溝３ｃ、３ｃが形成されている。支持壁３ｂ、３ｂの内側には該支持壁３ｂ、３ｂと平行な状態でミドルフレーム３の下側面部８から突出されたストッパー壁３ｄ、３ｄが設けられ、該ストッパー壁３ｄ、３ｄの先端部は案内溝３ｃ、３ｃを形成する下側面部８側の壁部に連続されている。従って、支持壁３ｂ、３ｂとストッパー壁３ｄ、３ｄの間には後述するコネクタージャック８７の一部が挿入される逃げ孔３ｅ、３ｅがそれぞれ形成されている。
【０１５７】
ミドルフレーム３の下側面部８には、支持壁３ｂ、３ｂの後方の位置に回動支持部３ｆ、３ｆが左右に離隔して設けられている。
【０１５８】
支持壁３ｂ、３ｂにはジャックケース８６が移動自在に支持されている（図３８参照）。ジャックケース８６は、図３８及び図３９に示すように、後方及び下方に開口された箱状に形成されたケース部８６ａと、該ケース部８６ａの上端部からそれぞれ側方（外方）へ突出された被案内突部８６ｂ、８６ｂと、ケース部８６ａの後端寄りの位置からそれぞれ側方（外方）へ突出された被ストッパー突部８６ｃ、８６ｃとから成る。被案内突部８６ｂ、８６ｂは前後方向に延び、被ストッパー突部８６ｃ、８６ｃは上下方向に延びるように形成されている。
【０１５９】
ジャックケース８６は被案内突部８６ｂ、８６ｂがミドルフレーム３の案内溝３ｃ、３ｃにそれぞれ挿入されて支持壁３ｂ、３ｂに前後方向へ移動自在に支持される（図３８参照）。
【０１６０】
ジャックケース８６のケース部８６ａの内部にはコネクタージャック８７が配置されている（図３７及び図３９参照）。コネクタージャック８７は商用電源に接続される電源コード３００の先端部に連接されたプラグ３０１が接続されるジャックであり、外筐２内に配置された図示しない電源回路に接続されている。
【０１６１】
ミドルフレーム３の回動支持部３ｆ、３ｆには蓋体８８が回動自在に支持されている（図３７及び図４０参照）。
【０１６２】
蓋体８８は、図３９及び図４１に示すように、平板状に形成されたカバー部８９と、該カバー部８９の左右両端部からそれぞれ突出されたアーム部９０、９０と、カバー部８９の左右両端寄りの位置からアーム部９０、９０の突出方向と同じ方向へ突出された作用片部９１、９１とから成る。アーム部９０、９０は略Ｕ字状に形成され、先端部に側方（外方）へ突出された被支持ピン９０ａ、９０ａを有している。アーム部９０、９０の先端部には、それぞれ被支持ピン９０ａ、９０ａが形成された面の反対側の面に側方（内方）へ突出された作用突部９０ｂ、９０ｂが設けられている。
【０１６３】
蓋体８８は被支持ピン９０ａ、９０ａがそれぞれ回動支持部３ｆ、３ｆに挿入され、被支持ピン９０ａ、９０ａを回動支点としてミドルフレーム３に対して回動可能とされジャック挿入口８ｂを開閉する。
【０１６４】
蓋体８８がジャック挿入口８ｂを閉塞した状態においては、図４３に示すように、アーム部９０、９０の作用突部９０ｂ、９０ｂと作用片部９１、９１とによってそれぞれジャックケース８６の被ストッパー突部８６ｃ、８６ｃが挟持されて保持される。アーム部９０、９０と作用片部９１、９１は支持壁３ｂ、３ｂとストッパー壁３ｄ、３ｄの間に形成された逃げ孔３ｅ、３ｅに位置される。このときジャックケース８６は移動範囲における後端に位置され、バッテリー挿入口１７ａは全体が開放されている。従って、蓋体８８によってジャック挿入口８ｂが閉塞されているためプラグ３０１のコネクタージャック８７への接続を行うことができないが、バッテリー２００のバッテリー装着部１７への装着を行うことはでき、バッテリー２００からの電力供給のみが可能である。
【０１６５】
バッテリー２００がバッテリー装着部１７に装着されていない状態において、蓋体８８を回動させていくと、図４３に示すように、作用片部９１、９１がジャックケース８６の被ストッパー突部８６ｃ、８６ｃから離隔されていくと共に作用突部９０ｂ、９０ｂによって被ストッパー突部８６ｃ、８６ｃが押圧されていき、ジャックケース８６が案内溝３ｃ、３ｃに案内されてコネクタージャック８７と一体となって前方へ移動されていく。
【０１６６】
引き続き蓋体８８を回動させていくと、作用片部９１、９１がジャックケース８６の被ストッパー突部８６ｃ、８６ｃからさらに離隔されると共に作用突部９０ｂ、９０ｂによって被ストッパー突部８６ｃ、８６ｃが押圧され、ジャックケース８６がコネクタージャック８７と一体となってさらに前方へ移動される（図４４参照）。このとき蓋体８８の回動によりジャック挿入口８ｂが開放される。ジャックケース８６は被ストッパー突部８６ｃ、８６ｃがそれぞれ支持壁３ｂ、３ｂのストッパー壁３ｄ、３ｄに接し、これ以上のジャックケース８６の移動が規制される。
【０１６７】
この状態では、バッテリー挿入口１７ａ内にジャックケース８６の一部（図４４に網掛けで示す部分）が存在し、バッテリー２００をバッテリー挿入口１７ａに挿入しようとしてもバッテリー２００がジャックケース８６の上記一部に接触し、バッテリー挿入口１７ａに対するバッテリー２００の挿入が規制される。従って、蓋体８８によってジャック挿入口８ｂが開放されているためプラグ３０１のコネクタージャック８７への接続を行うことはできるが、バッテリー２００のバッテリー装着部１７への装着を行うことはできず、商用電源からの電力供給のみが可能である。
【０１６８】
尚、バッテリー２００がバッテリー装着部１７に装着された状態（図４０参照）において、蓋体８８を回動させてジャック挿入口８ｂを開放しようとしても、ジャックケース８６がバッテリー２００に接して移動不能とされるため、蓋体８８を回動させることはできずジャック挿入口８ｂを開放することができない。
【０１６９】
以上のように、電子機器１にあっては、バッテリー２００からの電力供給と商用電源からの電力供給とが同時に行われることがないような機構が設けられている。従って、バッテリー２００からの電力供給と商用電源からの電力供給とが同時に行われることがなく、バッテリー２００の省電力化を図ることができる。
【０１７０】
また、電源コード３００が商用電源に接続された状態においてバッテリー２００からの電力供給が行われないような回路設計を行う必要がなく、回路構成の複雑化による電子機器１の製造コストの高騰を来たすことがない。
【０１７１】
次に、手書入力が行われる入力部として機能するタッチパネル５７に対して手書入力を行うことが可能な入力ペンについて説明する（図４５乃至図５２参照）。
【０１７２】
入力ペン９２は、例えば、樹脂材料によって各部が一体に形成されて成り、略平板状に形成された把持部９３とペン先部９４とから成る（図４５及び図４６参照）。
【０１７３】
把持部９３は、その大部分を専有する主面部９５と該主面部９５から突出された突部９６とから成る。
【０１７４】
主面部９５の外周部９５ａは、他の部分より厚みが厚くされ、主面部９５のうち、外周部９５ａの内側の部分が浅い凹状部９５ｂ、９５ｂとして形成されている（図４７参照）。凹状部９５ｂ、９５ｂは主面部９５の両面に形成されている。
【０１７５】
主面部９５の一側縁は、ペン先部９４が延びる方向に沿う直線状を為す直線部９５ｃとして形成されている。即ち、直線部９５ｃは、図４５に示すように、ペン先部９４の中心を通る軸方向に延びる軸線Ｍの近傍において該軸線Ｍに沿う位置に設けられている。主面部９５はこの軸線Ｍを含む略平板状に形成されている。
【０１７６】
把持部９３は、軸線Ｍに直交する方向における最大幅、即ち、図４５に示す幅Ｌが、軸線方向における最大幅、即ち、図４５に示す幅Ｈより大きく形成されている。
【０１７７】
突部９６は軸線Ｍを含む位置に設けられ、主面部９５からの突出方向が軸線Ｍの軸方向に一致されている。突部９６の先端面にはペン先部９４が設けられている。従って、入力ペン９２は、把持部９３のペン先部９４を延長した部分である直線部９５ｃが、把持部９３の一端部となるようにペン先部９４と把持部９３が連続されている。
【０１７８】
把持部９３には突部９６が設けられた部分と反対側の部分にストラップ４００を保持する保持用切欠９７が形成されている。保持用切欠９７は把持部９３の外周面に開口され、外周部９５ａに対応する位置に形成された挿入部９７ａと凹状部９５ｂ、９５ｂに対応する位置に形成された保持部９７ｂとから成る。
【０１７９】
挿入部９７ａは保持部９７ｂの開口幅より小さく形成され、挿入部９７ａの開口縁には保持部９７ｂから遠去かるに従って幅が広くなる案内部９７ｃ、９７ｃが形成されている。挿入部９７ａの開口幅は案内部９７ｃ、９７ｃが形成された以外の部分は同じに形成されている。
【０１８０】
入力ペン９２の保持用切欠９７にはストラップ４００の、例えば、一端部４００ａが挿入されて保持される（図４８参照）。ストラップ４００の挿入に際しては、挿入部９７ａに保持部９７ｂから遠去かるに従って幅が広くなる案内部９７ｃ、９７ｃが形成されているため、良好な挿入性を確保することができる。また、挿入部９７ａの開口幅は案内部９７ｃ、９７ｃが形成された以外の部分が同じに形成されているため、保持部９７ｂにストラップ４００の一端部４００ａが挿入された状態において、一端部４００ａが挿入部９７ａから外側へ抜け難く、入力ペン９２のストラップ４００からの脱落を防止することができる。
【０１８１】
ストラップ４００の他端部４００ｂは、上記シャッターユニット３０のピン取付孔３４ｂ、３４ｂに挿入された取付ピン３５に巻き付けられて取り付けられる（図４８参照）。
【０１８２】
入力ペン９２を用いた手書入力は、例えば、以下のようにして行われる（図４９及び図５０参照）。
【０１８３】
使用者は入力ペン９２を把持する。このとき使用者は入力ペン９２の把持部９３の凹状部９５ｂ、９５ｂを、例えば、親指５００と人差し指６００で挟持して把持する（図４９参照）。または、凹状部９５ｂ、９５ｂを、例えば、親指５００と中指７００で挟持し、人差し指６００を直線部に添えて把持することも可能である（図５０参照）。
【０１８４】
上記のように入力ペン９２を把持した状態で、ペン先部９４を入力部であるタッチパネル５７の表面に押し当て、又は、押し当てて移動させることにより所定の操作や文字入力を行うことができる。
【０１８５】
以上に記載した通り、入力ペン９２はペン先部９４の軸方向に延びる軸線Ｍを含む略平板状に形成された把持部９３を有しているため、把持したときの指との接触面積が大きく、指の入力ペン９２に対する保持力が大きく、手書入力時における使い勝手の向上を図ることができる。
【０１８６】
また、入力ペン９２の把持部９３が丸軸状でなく略平板状に形成されているため、丸軸状の入力ペンのように把持した状態で回転するという不具合が生じ難く、その分、使用者が入力ペン９２を強い力で把持する必要がなく、入力ペン９２を容易に把持することができる。
【０１８７】
さらに、把持部９３のペン先部９４を延長した部分である直線部９５ｃが、把持部９３の一端部となるようにペン先部９４と把持部９３が連続されているため、入力ペン９２を用いて手書入力を行ったときに該入力ペン９２や指の影がタッチパネル５７に写し出されるという所謂手暗がりの状態となることがなく、手書入力を正確かつ容易に行うことができる。
【０１８８】
さらにまた、把持部９３は、軸線Ｍに直交する方向における最大幅Ｌが、軸線方向における最大幅Ｈより大きく形成されているため、把持部９３を保持し易いという利点がある。
【０１８９】
加えて、把持部９３に凹状部９５ｂ、９５ｂが形成されているため、指が凹状部９５ｂ、９５ｂ上で滑った場合であっても、外周部９５ａが把持した指の所謂引っ掛かり部として機能し、入力ペン９２の指からの脱落を防止することができる。
【０１９０】
尚、入力ペンは把持部が略平板状に形成されていれば任意の形状に形成することが可能である。例えば、図５１に示すような略三角形状の把持部９３Ａを有する入力ペン９２Ａや図５２に示すような略ハート形の把持部９３Ｂを有する入力ペン９２Ｂ等、種々のものを用いることが可能である。
【０１９１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１９２】
【図１】図２乃至図５２と共に本発明の最良の形態を示すものであり、本図は、電子機器の一例としてスチルカメラを示す斜視図である。
【図２】スチルカメラの背面側を示す斜視図である。
【図３】ミドルフレームの拡大斜視図である。
【図４】ミドルフレームの背面側を示す拡大斜視図である。
【図５】バッテリー蓋を開放した状態で示すスチルカメラの斜視図である。
【図６】ミドルフレームとこれに配置される各部品を示す分解斜視図である。
【図７】ミドルフレームの一部とシャッターユニットを示す拡大分解斜視図である。
【図８】スチルカメラの構造を示す分解斜視図である。
【図９】パネルホルダーの拡大正面図である。
【図１０】パネルホルダーの拡大斜視図である。
【図１１】パネルホルダーの各位置決め部を示す拡大斜視図である。
【図１２】タッチパネルの斜視図である。
【図１３】液晶パネルの斜視図である。
【図１４】パネルホルダーの第１の位置決め部にタッチパネル及び液晶パネルが位置決めされて配置された状態を示す拡大斜視図である。
【図１５】パネルホルダーの第２の位置決め部にバックライトパネルが位置決めされて配置された状態を示す斜視図である。
【図１６】押さえ板の斜視図である。
【図１７】タッチパネル、液晶パネル及びバックライトパネル等の配置状態を示す拡大断面図である。
【図１８】タッチパネル、液晶パネル及びバックライトパネル等の配置状態の別例を示す拡大断面図である。
【図１９】押さえ板がミドルフレームの押さえリブによって押さえられた状態を示す拡大断面図である。
【図２０】バッテリー装着部とバッテリーを示す拡大斜視図である。
【図２１】バッテリーの拡大斜視図である。
【図２２】バッテリー装着部とロック部材を示す拡大斜視図である。
【図２３】ミドルフレームの一部と支持部材とバネ部材を示す拡大分解斜視図である。
【図２４】ロック部材とバネ部材を示す拡大斜視図である。
【図２５】ロック部材のロック部の形状を示す拡大斜視図である。
【図２６】ミドルフレームの一部と支持部材とバネ部材を支持部材がミドルフレームに取り付けられた状態で示す拡大斜視図である。
【図２７】ミドルフレームの一部、支持部材、バネ部材及びロック部材をロック部材を分離して示す拡大斜視図である。
【図２８】図２９乃至図３３と共にバッテリーがバッテリー装着部に装着されるときの各部の動作を示すものであり、本図は、バッテリーが挿入空間に挿入される前の状態を示す拡大側面図である。
【図２９】ロック部の傾斜面部にバッテリーが押し当てられたときの動作状態を示す拡大斜視図である。
【図３０】バッテリーが挿入空間に挿入されている途中の状態を示す拡大側面図である。
【図３１】挿入空間に挿入されたバッテリーがロックされる前の状態を示す概念図である。
【図３２】バッテリーが挿入空間に挿入されてロックされた状態を示す拡大側面図である。
【図３３】挿入空間に挿入されたバッテリーがロックされた状態を示す概念図である。
【図３４】図３５及び図３６と共に別のロック部材を用いた場合にバッテリーがバッテリー装着部に装着されるときの各部の動作を示すものであり、本図は、バッテリーが挿入空間に挿入される前の状態を示す拡大断面図である。
【図３５】バッテリーが挿入空間に挿入されている途中の状態を示す拡大断面図である。
【図３６】バッテリーが挿入空間に挿入されてロックされた状態を示す拡大断面図である。
【図３７】図３８乃至図４４と共にバッテリー装着部の別例を示すものであり、本図は、蓋体が開放されプラグが接続された状態を示す拡大斜視図である。
【図３８】ジャックケースが支持壁に支持された状態を示す拡大平面図である。
【図３９】蓋体が閉塞された状態をジャックケースとともに示す拡大斜視図である。
【図４０】蓋体が閉塞された状態を示す拡大斜視図である。
【図４１】蓋体が開放された状態をジャックケースとともに示す拡大斜視図である。
【図４２】図４３及び図４４と共に蓋体の開閉動作を示すものであり、本図は、蓋体が閉塞された状態を一部を断面にして示す拡大側面図である。
【図４３】蓋体が開放されている途中の状態を一部を断面にして示す拡大側面図である。
【図４４】蓋体が開放された状態を一部を断面にして示す拡大側面図である。
【図４５】入力ペンの拡大側面図である。
【図４６】入力ペンの拡大斜視図である。
【図４７】図４５のＸＸＸＸＶＩＩ―ＸＸＸＸＶＩＩ線に沿う断面図である。
【図４８】ストラップが電子機器及び入力ペンに取り付けられた状態を示す斜視図である。
【図４９】入力ペンを把持して手書入力を行っている状態を示す斜視図である。
【図５０】図４９とは別の状態で入力ペンを把持している状態を示す拡大側面図である。
【図５１】入力ペンの別の例を示す拡大斜視図である。
【図５２】入力ペンのまた別の例を示す拡大斜視図である。
【符号の説明】
【０１９３】
５７…タッチパネル（入力部）、９２…入力ペン、９３…把持部、９４…ペン先部、９５ａ…外周部、９５ｂ…凹状部、９７…保持用切欠、９７ａ…挿入部、９７ｂ…保持部、９７ｃ…案内部、４００…ストラップ、９２Ａ…入力ペン、９３Ａ…把持部、９２Ｂ…入力ペン、９３Ｂ…把持部
【図１】
2007072555.tif 000003
【図２】
2007072555.tif 000004
【図３】
2007072555.tif 000005
【図４】
2007072555.tif 000006
【図５】
2007072555.tif 000007
【図６】
2007072555.tif 000008
【図７】
2007072555.tif 000009
【図８】
2007072555.tif 000010
【図９】
2007072555.tif 000011
【図１０】
2007072555.tif 000012
【図１１】
2007072555.tif 000013
【図１２】
2007072555.tif 000014
【図１３】
2007072555.tif 000015
【図１４】
2007072555.tif 000016
【図１５】
2007072555.tif 000017
【図１６】
2007072555.tif 000018
【図１７】
2007072555.tif 000019
【図１８】
2007072555.tif 000020
【図１９】
2007072555.tif 000021
【図２０】
2007072555.tif 000022
【図２１】
2007072555.tif 000023
【図２２】
2007072555.tif 000024
【図２３】
2007072555.tif 000025
【図２４】
2007072555.tif 000026
【図２５】
2007072555.tif 000027
【図２６】
2007072555.tif 000028
【図２７】
2007072555.tif 000029
【図２８】
2007072555.tif 000030
【図２９】
2007072555.tif 000031
【図３０】
2007072555.tif 000032
【図３１】
2007072555.tif 000033
【図３２】
2007072555.tif 000034
【図３３】
2007072555.tif 000035
【図３４】
2007072555.tif 000036
【図３５】
2007072555.tif 000037
【図３６】
2007072555.tif 000038
【図３７】
2007072555.tif 000039
【図３８】
2007072555.tif 000040
【図３９】
2007072555.tif 000041
【図４０】
2007072555.tif 000042
【図４１】
2007072555.tif 000043
【図４２】
2007072555.tif 000044
【図４３】
2007072555.tif 000045
【図４４】
2007072555.tif 000046
【図４５】
2007072555.tif 000047
【図４６】
2007072555.tif 000048
【図４７】
2007072555.tif 000049
【図４８】
2007072555.tif 000050
【図４９】
2007072555.tif 000051
【図５０】
2007072555.tif 000052
【図５１】
2007072555.tif 000053
【図５２】
2007072555.tif 000054